(57)【要約】【課題】複数の施設の中の一部の施設が離れている場合にこの離れた施設の代替施設を探す手間を低減することができるナビゲーション装置を提供すること。【解決手段】ナビゲーション装置は、複数の施設を選択する施設検索部３０と、施設検索部３０によって選択された複数の施設の中で一部の施設が残りの施設から離れている場合に、この離れた一部の施設を特定する遠隔施設特定部３４と、遠隔施設特定部３４によって一部の施設が特定されたときに、この一部の施設と同業種の他の施設であって、この一部の施設よりも残りの施設に近い代替施設を検索する代替施設検索部３６とを備えている。【選択図】図１
2015087338.tif 000002
【特許請求の範囲】
【請求項１】
複数の施設を選択する複数施設選択手段と、
前記複数施設選択手段によって選択された前記複数の施設の中で一部の施設が残りの施設から離れている場合に、この離れた一部の施設を特定する遠隔施設特定手段と、
前記遠隔施設特定手段によって前記一部の施設が特定されたときに、この一部の施設と同業種の他の施設であって、この一部の施設よりも前記残りの施設に近い代替施設を検索する代替施設検索手段と、
を備えることを特徴とするナビゲーション装置。
【請求項２】
請求項１において、
前記施設選択手段によって選択された前記複数の施設が識別可能な状態で含まれる地図画像を表示する地図表示手段をさらに備えることを特徴とするナビゲーション装置。
【請求項３】
請求項２において、
前記地図表示手段によって表示した地図画像に含まれる前記一部の施設を、利用者の指示に応じて選択する一部施設選択手段をさらに備え、
前記遠隔施設特定手段は、前記一部施設選択手段によって前記一部の施設が選択されたときに、この施設を、離れた前記一部の施設として特定することを特徴とするナビゲーション装置。
【請求項４】
請求項１〜３のいずれか一項において、
前記複数施設選択手段によって選択された前記複数の施設を経由地あるいは目的地に設定して経路探索処理を行って走行経路を設定する経路探索手段をさらに備え、
前記遠隔施設特定手段および前記代替施設検索手段による処理は、前記経路探索手段によって走行経路が設定された後に行われることを特徴とするナビゲーション装置。
【請求項５】
請求項４において、
前記一部の施設を前記代替施設に置き換えた場合に、前記経路探索手段によって設定された走行経路に沿った経由地あるいは目的地の順番を利用者の指示に応じて変更する施設順番変更手段をさらに備えることを特徴とするナビゲーション装置。
【請求項６】
請求項１〜５のいずれか一項において、
前記代替施設検索手段は、前記残りの施設を含む所定範囲の中から前記代替施設を検索することを特徴とするナビゲーション装置。
【請求項７】
請求項６において、
前記代替施設検索手段は、前記残りの施設の中心から所定範囲内に所在地が含まれる前記代替施設を検索することを特徴とするナビゲーション装置。
【請求項８】
請求項１〜７のいずれか一項において、
前記代替施設検索手段は、検索によって得られた前記代替施設の数が少ない場合に、同業種に加え類似業種の前記代替施設を検索することを特徴とするナビゲーション装置。
【発明の詳細な説明】
【技術分野】
【０００１】
本発明は、車両に搭載されて、複数の施設を経由地や目的地として車両の走行を案内するナビゲーション装置に関する。
【背景技術】
【０００２】
従来から、自車位置周辺の地図画像を表示するとともに、この地図画像に含まれる特定の施設のアイコンが利用者によって指し示されたときに、この特定アイコンの施設と同業の他の施設であって、自車位置周辺に存在する施設を探す類似施設検索を行うようにしたナビゲーション装置が知られている（例えば、特許文献１参照。）。このナビゲーション装置では、検索結果としての自車位置周辺の複数の施設を、リスト形式で表示したり、自車位置周辺の地図画像上にアイコンで表示している。
【先行技術文献】
【特許文献】
【０００３】
【特許文献１】特開２００６−１４５３３０号公報
【発明の概要】
【発明が解決しようとする課題】
【０００４】
ところで、旅行を計画する際に立ち寄りたい複数の施設を検索して経由地あるいは目的地に設定して経路探索を行って走行経路を設定し、この走行経路とともに経由地あるいは目的地となる複数の施設のアイコンを地図画像に重ねて表示したときに、一部の施設が他の施設に対して離れた位置にある場合がある。このような場合には、離れた位置にある施設を経由地等から削除し、あらためて同業の施設を検索し、この検索した施設が他の施設に近ければ登録し、遠ければさらに同業の施設の検索を繰り返す必要があり、同業種の施設検索に手間がかかって操作が煩雑になるという問題があった。
【０００５】
一方、上述した特許文献１に開示されたナビゲーション装置における検索手法は、地図画像上の特定の施設のアイコンを利用者自身が指し示すことにより、自車位置周辺の同業種の他の施設を検索するものであるため、一部の施設が残りの施設から離れた場合に、この一部の施設と同業種の他の施設であって残りの施設に近いものを検索する場合に用いることはできない。
【０００６】
本発明は、このような点に鑑みて創作されたものであり、その目的は、複数の施設の中の一部の施設が離れている場合にこの離れた施設の代替施設を探す手間を低減することができるナビゲーション装置を提供することにある。
【課題を解決するための手段】
【０００７】
上述した課題を解決するために、本発明のナビゲーション装置は、複数の施設を選択する複数施設選択手段と、複数施設選択手段によって選択された複数の施設の中で一部の施設が残りの施設から離れている場合に、この離れた一部の施設を特定する遠隔施設特定手段と、遠隔施設特定手段によって一部の施設が特定されたときに、この一部の施設と同業種の他の施設であって、この一部の施設よりも残りの施設に近い代替施設を検索する代替施設検索手段とを備えている。
【０００８】
一部の施設が残りの施設から離れている場合に、この一部の施設を特定して残りの施設に近い同業種の代替施設を自動的に検索することができるため、代替施設を探す手間を低減することができる。
【０００９】
また、上述した施設選択手段によって選択された複数の施設が識別可能な状態で含まれる地図画像を表示する地図表示手段をさらに備えることが望ましい。これにより、複数の施設の相互の位置関係を確認することができ、一部の施設が残りの施設に対してどの程度離れているかを知ることができる。
【００１０】
また、上述した地図表示手段によって表示した地図画像に含まれる一部の施設を、利用者の指示に応じて選択する一部施設選択手段をさらに備え、遠隔施設特定手段は、一部施設選択手段によって一部の施設が選択されたときに、この施設を、離れた一部の施設として特定することが望ましい。これにより、利用者自身が離れていると考える一部の施設について代替施設を検索することが可能となる。
【００１１】
また、上述した複数施設選択手段によって選択された複数の施設を経由地あるいは目的地に設定して経路探索処理を行って走行経路を設定する経路探索手段をさらに備え、遠隔施設特定手段および代替施設検索手段による処理は、経路探索手段によって走行経路が設定された後に行われることが望ましい。これにより、経路探索によって走行経路を決定した後に、離れた一部の施設を代替施設に置き換えることが可能となる。
【００１２】
また、上述した一部の施設を代替施設に置き換えた場合に、経路探索手段によって設定された走行経路に沿った経由地あるいは目的地の順番を利用者の指示に応じて変更する施設順番変更手段をさらに備えることが望ましい。これにより、一部の施設を代替施設に置き換えることにより経由地や目的地の位置関係が変わるので、変化した位置関係に合わせて走行経路を変更することが可能となる。
【００１３】
また、上述した代替施設検索手段は、残りの施設を含む所定範囲の中から代替施設を検索することが望ましい。特に、上述した代替施設検索手段は、残りの施設の中心から所定範囲内に所在地が含まれる代替施設を検索することが望ましい。これにより、代替施設と残りの施設の位置を確実に接近させることが可能となる。
【００１４】
また、上述した代替施設検索手段は、検索によって得られた代替施設の数が少ない場合に、同業種に加え類似業種の代替施設を検索することが望ましい。これにより、同業種の代替施設がない場合や少ない場合に、業種を再度指定して施設検索をやり直す手間を省くことができる。
【図面の簡単な説明】
【００１５】
【図１】一実施形態のナビゲーション装置の構成を示す図である。
【図２】複数の施設を経由地および目的地として経路探索処理を行う動作手順の流れ図である。
【図３】経由地および目的地を含む走行経路の表示例を示す図である。
【図４】代替施設の検索範囲を示す図である。
【図５】代替施設の検索結果の表示例を示す図である。
【図６】施設順番を変更する操作画面の表示例を示す図である。
【発明を実施するための形態】
【００１６】
以下、本発明の施設検索装置を適用した一実施形態のナビゲーション装置について、図面を参照しながら説明する。
【００１７】
図１は、一実施形態のナビゲーション装置の構成を示す図である。図１に示すナビゲーション装置は、ナビゲーションコントローラ１、地図データ記憶装置３、操作部４、車両位置検出部５、表示装置６、オーディオ部７を含んで構成されている。このナビゲーション装置は、車両に搭載されている。
【００１８】
ナビゲーションコントローラ１は、ＣＰＵ、ＲＯＭ、ＲＡＭ等を用いて所定の動作プログラムを実行することにより、自車位置周辺の地図画像表示動作や施設検索動作、経路探索・誘導動作などの各種機能を実現する。ナビゲーションコントローラ１の詳細構成については後述する。
【００１９】
地図データ記憶装置３は、地図表示、施設検索、経路探索などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。また、地図データ記憶装置３を通信装置に置き換えて、外部の地図配信サーバ（図示せず）から地図データを取得するようにしてもよい。
【００２０】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。車両位置検出部５は、例えば、ＧＰＳ受信機、方位センサ、距離センサなどを備えており、所定のタイミングで車両位置（経度、緯度）の検出を行い、検出結果を出力する。
【００２１】
表示装置６は、例えばＬＣＤ（液晶表示装置）によって構成されており、ナビゲーションコントローラ１から出力される映像信号に基づいて自車位置周辺の地図画像や交差点案内画像、あるいは、施設検索によって得られた施設やその周辺駐車場が含まれる検索結果画像などを表示する。オーディオ部７は、ナビゲーションコントローラ１から入力される音声信号に基づいて生成した案内音声等を車室内に出力する。
【００２２】
次に、ナビゲーションコントローラ１の詳細構成について説明する。図１に示すナビゲーションコントローラ１は、地図バッファ１０、地図読出制御部１２、地図描画部１４、車両位置計算部２０、経路探索処理部２２、経路誘導処理部２４、施設検索部３０、遠隔施設特定部３４、代替施設検索部３６、施設順番変更部３８、入力処理部４０、表示処理部６０を含んで構成されている。
【００２３】
地図バッファ１０は、地図データ記憶装置３から読み出された地図データを一時的に格納する。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。
【００２４】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２５】
経路探索処理部２２は、出発地と経由地、目的地との間を所定の探索条件にしたがって結ぶ走行経路（誘導経路）を探索する。経路誘導処理部２４は、経路探索処理部２２による探索処理によって得られた誘導経路を地図上に重ねて表示したり、右左折交差点の拡大図を表示するための誘導経路描画データを作成するとともに、誘導経路に沿って車両を誘導するために必要な交差点案内等の音声信号を生成する。
【００２６】
施設検索部３０は、操作部４を用いて設定された検索条件を満たす施設を検索する。例えば、検索条件として、施設のジャンルを指定して候補となる施設を絞り込む場合や、電話番号あるいは住所等を特定して施設を絞り込む場合などが考えられる。このようにして、検索条件を変更しながら複数の施設が検索され、これら複数の施設のそれぞれが経路探索処理の経由地あるいは目的地として用いられる。
【００２７】
遠隔施設特定部３４は、施設検索部３０による検索によって得られた複数の施設の中で一部の施設が残りの施設から離れている場合に、この離れた一部の施設を特定する。代替施設検索部３６は、遠隔施設特定部３４によって、離れた一部の施設が特定されたときに、この一部の施設と同業種の他の施設であって、この一部の施設よりも残りの施設に近い代替施設を検索する。
【００２８】
施設順番変更部３８は、離れた一部の施設を、代替施設検索部３６によって検索された代替施設に置き換えた場合に、経路探索処理部２２によって設定された走行経路に沿った経由地あるいは目的地の順番を利用者の指示に応じて変更する。この変更動作の詳細については後述する。入力処理部４０は、操作部４から入力される各種の操作指示に対応する動作を行うための命令をナビゲーションコントローラ１内の各部に向けて出力する。
【００２９】
表示処理部６０は、地図描画部１４によって作成される地図画像描画データが入力されており、この描画データに基づいて所定範囲の地図画像を表示装置６の画面に表示する。また、経路探索処理部２２によって設定される走行経路や、施設検索部３０による検索によって得られた施設や、代替施設検索部３６による検索によって得られた代替施設を示す描画データが入力されると、表示処理部６０は、これらの描画データを地図画像に重ねて表示装置６の画面に表示する。
【００３０】
上述した施設検索部３０が複数施設選択手段に、遠隔施設特定部３４が遠隔施設特定手段に、代替施設検索部３６が代替施設検索手段に、地図描画部１４、施設検索部３０、表示処理部６０、表示装置６が地図表示手段に、操作部４、入力処理部４０が一部施設選択手段に、経路探索処理部２２が経路探索手段に、施設順番変更部３８が施設順番変更手段にそれぞれ対応する。
【００３１】
本実施形態のナビゲーション装置はこのような構成を有しており、次に、その動作を説明する。図２は、複数の施設を経由地および目的地として経路探索処理を行う動作手順の流れ図である。
【００３２】
まず、施設検索部３０は、利用者によって設定された検索条件に基づいて複数の施設を検索し、経由地、目的地を設定する（ステップ１００）。これら複数の施設の検索は、それぞれの施設毎に検索条件を指定することにより行われる。また、例えば検索順に各施設が経由地に対応づけられ、最後の検索によって得られた施設が目的地に対応づけられる。なお、この経由地および目的地のそれぞれに対応する各施設の順番は、経路探索処理までに変更可能であって、利用者は適当な順番で各施設を検索による抽出することができる。
【００３３】
次に、経路探索処理部２２は、ステップ１００において設定された複数の施設を経由地および目的地とした経路探索処理を行い、経由地を経由して目的地に至る最適な走行経路を設定する（ステップ１０２）。また、経路探索処理部２２は、この走行経路を経由地および目的地とともに表示する（ステップ１０４）。
【００３４】
図３は、経由地および目的地を含む走行経路の表示例を示す図である。図３に示す例では、全ての経由地と目的地が表示範囲に含まれるように表示縮尺が設定された地図画像に、これらの各経由地、目的地および走行経路Ｒが重ねて表示されている。また、各経由地と目的地のそれぞれに対応する施設の内容が概略的に利用者にわかるように、各施設の名称等が表示画面内に示されている。
【００３５】
次に、遠隔施設特定部３４は、遠隔施設を特定したか否かを判定する（ステップ１０６）。例えば、利用者が操作部４を操作して、表示画面に含まれる複数の施設（経由地あるいは目的地）の中から、他の施設に対して離れている一部の施設を選択することにより、この選択された施設が遠隔施設として特定される。図３に示す例では、施設Ｃ（△△ラーメン）が他の施設に対して一つだけ離れており、利用者は、施設Ｃを直接指等で指し示して選択することができる。このようにして遠隔施設が特定されるとステップ１０６の判定において肯定判断が行われる。
【００３６】
次に、代替施設検索部３６は、特定された遠隔施設に対する代替施設を検索する（ステップ１０８）。代替施設検索部３６は、遠隔施設と同業種の他の施設であって、この遠隔施設よりも残りの施設Ａ、Ｂ、Ｄ、Ｅに近い代替施設を検索する。なお、図３に示す施設Ｃの場合には、「ラーメン屋」が同業種となるが、検索によって抽出される代替施設の数が少ない場合には同業種だけでなく、類似業種の代替施設を検索対象に含めるようにしてもよい。例えば、「ラーメン屋」の類似業種として「中華料理」、「定食」、「そば・うどん」などを検索対象に含めるようにしてもよい。これにより、同業種の代替施設がない場合あるいは少ない場合に、業種を再度指定して施設検索をやり直す手間を省くことができる。
【００３７】
図４は、代替施設の検索範囲を示す図である。図４において、Ｐは残りの施設Ａ、Ｂ、Ｄ、Ｅの中心位置（重心位置）を、Ｌは残りの施設Ａ、Ｂ、Ｄ、Ｅの中でこの中心位置Ｐから最も遠い施設（例えばＥ）までの距離を示している。図４に示す例では、中心位置Ｐから上下左右の距離がＬとなる矩形の範囲が代替施設の検索範囲として設定される。
【００３８】
なお、この検索範囲の設定例は一例であって、適宜変更することができる。例えば、中心位置Ｐから半径Ｌの範囲を検索範囲としたり、距離Ｌを変更したり、検索結果としての施設数が少ない場合には距離Ｌを長くするなどが考えられる。
【００３９】
次に、代替施設検索部３６は、検索した代替施設を地図画像に重ねて表示する（ステップ１１０）。図５は、代替施設の検索結果の表示例を示す図である。図５に示す例では、図４に示した検索範囲内に４つの代替施設ｃ１〜ｃ４が検索によって抽出されている。なお、図５に示す表示画面には、施設Ａ、Ｂ、Ｄ、Ｅも代替施設ｃ１〜ｃ４の視認性を妨げないように（例えば、輝度を下げて）表示されており、各代替施設ｃ１〜ｃ４と施設Ａ、Ｂ、Ｄ、Ｅの位置関係が容易に確認できるようになっている。
【００４０】
次に、代替施設検索部３６は、一の代替施設が利用者によって選択されたか否かを判定する（ステップ１１２）。一の代替施設が選択されない場合には否定判断が行われ、この判定が繰り返される。また、利用者が操作部４を操作して一の代替施設を選択すると（例えば、一の代替施設を直接指で指し示すと）ステップ１１２の判定において肯定判断が行われる。例えば、代替施設ｃ１が選択される。
【００４１】
次に、施設順番変更部３８は、施設順番（経由地と目的地の順番）を変更するか否かを判定する（ステップ１１４）。順番を変更する場合には肯定判断がなされ、施設順番変更部３８は、利用者の指示に従って順番を変更する（ステップ１１６）。
【００４２】
図６は、施設順番を変更する操作画面の表示例を示す図である。図６において、ａ１、ａ２は上下の移動ボタンを、ｂは決定ボタンをそれぞれ示している。図６に示すように、最初は、３番目の経由地として施設Ｃが代替施設ｃ１に置き換わった状態が示されている。利用者は、施設施設Ａ、Ｂ、ｃ３、Ｄ、Ｅのいずれかを選択し（例えば、選択箇所がハイライト表示される）、次に移動ボタンａ１あるいはａ２を指し示すことにより、この選択された施設の順番を上下に移動して変更することができる。その後、利用者が決定ボタンｂを指し示すことにより、施設順番の変更処理が終了する。なお、施設順番を変更せずに決定ボタンｂが指し示された場合にはステップ１１４の判定において否定判断が行われる。
【００４３】
施設順番変更後、あるいは、順番変更が不要であってステップ１１４の判定において否定判断が行われた後、経路探索処理部２２は、再度経路探索処理を行い、新たな代替施設ｃ１を含む経由地を経由して目的地に至る最適な走行経路を設定する（ステップ１１８）。その後、経路誘導処理部２４は、この走行経路に沿って経路誘導を行う（ステップ１２０）。
【００４４】
このように、本実施形態のナビゲーション装置では、一部の施設が残りの施設から離れている場合に、この一部の施設を特定して残りの施設に近い同業種の代替施設を自動的に検索することができるため、代替施設を探す手間を低減することができる。
【００４５】
特に、施設検索部３０による検索で得られた複数の施設が識別可能な状態で含まれる地図画像が表示されるため、複数の施設の相互の位置関係を容易に把握することができ、一部の施設が残りの施設に対してどの程度離れているかを知ることができる。
【００４６】
また、利用者は、操作部４を用いて地図画像上の施設を選択することができ、利用者自身が離れていると考える一部の施設を指定して代替施設を検索することが可能となる。
【００４７】
また、経路探索によって走行経路を決定した後に、離れた一部の施設を代替施設に置き換えることが可能となる。また、一部の施設を代替施設に置き換えることにより経由地や目的地の位置関係が変わるので、変化した位置関係に合わせて走行経路を変更することが可能となる。
【００４８】
また、残りの施設を含む所定範囲の中から、具体的には、残りの施設の中心から所定範囲内に所在地が含まれるように代替施設が検索されるため、代替施設と残りの施設の位置を確実に接近させることが可能となる。
【００４９】
なお、本発明は上記実施形態に限定されるものではなく、本発明の要旨の範囲内において種々の変形実施が可能である。例えば、上述した実施形態では、車両に搭載されたナビゲーション装置において施設検索等を行う場合について説明したが、パーソナルコンピュータやスマートフォンと称される携帯端末等で所定のアプリケーションソフトを実行することにより施設検索等を行う場合にも本発明を適用することができる。
【００５０】
また、上述した実施形態では、代替施設を検索する範囲を残りの施設の中心位置Ｐから所定範囲内としたが、離れた施設Ｃよりも残りの施設Ａ、Ｂ、Ｄ、Ｅに近い代替施設であればよく、しかも、その後利用者が複数の代替施設の中から一つを選択するのであるから、代替施設の検索範囲を広げることができるようにしてもよい。
【産業上の利用可能性】
【００５１】
上述したように、本発明によれば、一部の施設が残りの施設から離れている場合に、この一部の施設を特定して残りの施設に近い同業種の代替施設を自動的に検索することができるため、代替施設を探す手間を低減することができる。
【符号の説明】
【００５２】
１  ナビゲーションコントローラ
３  地図データ記憶装置
４  操作部
５  車両位置検出部
６  表示装置
７  オーディオ部
１０  地図バッファ
１２  地図読出制御部
１４  地図描画部
２０  車両位置計算部
２２  経路探索処理部
２４  経路誘導処理部
３０  検索検索部
３４  遠隔施設特定部
３６  代替施設検索部
３８  施設順番変更部
４０  入力処理部
６０  表示処理部
【図１】
2015087338.tif 000003
【図２】
2015087338.tif 000004
【図３】
2015087338.tif 000005
【図４】
2015087338.tif 000006
【図５】
2015087338.tif 000007
【図６】
2015087338.tif 000008